(57)【要約】【課題】容器の挿入性、取出し性及び保持性を向上させることを目的とする。【解決手段】容器収容部１６内に突出した頂上部２０Ａを有する支持部材２０が容器を弾性的に保持可能に構成されているだけでなく、容器の出し入れ方向に揺動可能に弾性的に支持されており、支持部材２０は容器の挿入方向及び取出し方向に傾くことができるので、容器の挿入性及び取出し性に優れている。また、頂上部２０Ａの可動範囲が広いため、容器の最適保持位置が高さ方向に異なっていても、その位置が頂上部２０Ａの可動範囲であればその最適保持位置で容器を保持することができるので、多種類の容器の安定的な保持が可能である。【選択図】        図２
2007084022.tif 000002
【特許請求の範囲】
【請求項１】
容器を収容可能な容器収容部内へ突出状態で設けられ、主として容器挿入時に容器側面を支持する第１支持面と、主として容器取出し時に前記容器側面を支持する第２支持面とを前記容器の挿入及び取出し方向に備えた支持部材と、
該支持部材を支持するホルダ本体部と、
該ホルダ本体部に対して支持部材を前記容器の挿入及び取出し方向の双方向に所定の揺動角の範囲内で揺動可能に弾性的に支持し、前記容器の挿入時には、前記支持部材の第２支持面が前記容器側面から離間して第１支持面が該容器側面に弾性的に圧接されるように前記支持部材を揺動させ、前記容器の取出し時には、前記支持部材の第１支持面が前記容器側面から離間して第２支持面が該容器側面に弾性的に圧接されるように前記支持部材を揺動させる支持機構と、
を有することを特徴とする車両用カップホルダ。
【請求項２】
前記支持機構は、前記支持部材のうち前記第１支持面側の上部及び前記第２支持面側の下部を夫々前記容器収容部側へ付勢する弾性体を有することを特徴とする請求項１に記載の車両用カップホルダ。
【請求項３】
前記支持部材は、該支持部材が付勢されている前記容器収容部側への方向に対して交差する方向に沿って延びるガイド部を有し、
前記弾性体の端部は、該ガイド部に対して摺動可能に取り付けられていることを特徴とする請求項２に記載の車両用カップホルダ。
【請求項４】
並列に設けられた２箇所の前記容器収容部間の隔壁に前記支持部材が対称に一対配設され、前記弾性体は該一対の支持部材に共用されることを特徴とする請求項２又は請求項３に記載の車両用カップホルダ。
【発明の詳細な説明】
【技術分野】
【０００１】
本発明は、カップやボトル等の容器を保持可能な車両用カップホルダに関する。
【背景技術】
【０００２】
従来の車両用カップホルダとして、収容された容器を弾性体の付勢力により保持しようとするものがあり、その一例として、カップホルダ本体内に水平方向と垂直方向に延びる溝と、互いに端部が回動可能に連結された第１サポート片と第２サポート片と、該第１サポート片及び第２サポート片の回動部にサポート片を閉じる方向に付勢するばねとからなり、第１サポート片の他の端部が水平溝に、第２サポート片の他の端部が垂直溝に摺動可能に支持されたものが開示されている（特許文献１参照）。
【特許文献１】特開２００２−２９３０４号公報
【特許文献２】特開２００４−１００４０号公報
【特許文献３】特開２００２−１９３０１９号公報
【特許文献４】特開平１１−３４２７８１号公報
【特許文献５】特開平１０−８６７３５号公報
【特許文献６】特開平９−５８３２３号公報
【発明の開示】
【発明が解決しようとする課題】
【０００３】
しかしながら、上記した従来例では、容器を保持するに際し、直径の異なる容器には柔軟に対応できるものの、最適保持位置（例えば、くびれ部）が高さ方向において異なる容器には柔軟に対応できない場合があった。これは特に容器を保持する当接部が一定の高さ位置で該容器の直径方向にのみ動くようになっている場合や、当接部が一定の高さ位置を上限として下方に可倒又は変形するようになっている場合に顕著である。また、当接部が可倒式の場合には、容器のくびれ部に当接部が入り込み、該容器の取出し時に引掛かりが生じて取り出し難くなる場合があった。
【０００４】
本発明は、上記事実を考慮して、容器の挿入性、取出し性及び保持性を向上させることを目的とする。
【課題を解決するための手段】
【０００５】
請求項１の発明は、容器を収容可能な容器収容部内へ突出状態で設けられ、主として容器挿入時に容器側面を支持する第１支持面と、主として容器取出し時に前記容器側面を支持する第２支持面とを前記容器の挿入及び取出し方向に備えた支持部材と、該支持部材を支持するホルダ本体部と、該ホルダ本体部に対して支持部材を前記容器の挿入及び取出し方向の双方向に所定の揺動角の範囲内で揺動可能に弾性的に支持し、前記容器の挿入時には、前記支持部材の第２支持面が前記容器側面から離間して第１支持面が該容器側面に弾性的に圧接されるように前記支持部材を揺動させ、前記容器の取出し時には、前記支持部材の第１支持面が前記容器側面から離間して第２支持面が該容器側面に弾性的に圧接されるように前記支持部材を揺動させる支持機構と、を有することを特徴としている。
【０００６】
請求項１に記載の車両用カップホルダでは、容器収容部内へ突出状態で設けられ第１支持面及び第２支持面を有する支持部材が、支持機構によってホルダ本体部に対して容器の挿入及び取出し方向の双方向に所定の揺動角の範囲内で揺動可能に弾性的に支持されているので、支持部材は容器を弾性的に保持可能であると共に、容器の出し入れ方向に弾性的に揺動可能であり、具体的には、支持部材は、容器の挿入時にはその挿入方向に傾き、容器の取出し時にはその取出し方向に傾いて該容器の動きに追従することができる。このため、請求項１に記載の車両用カップホルダは、容器の挿入性及び取出し性に優れ、かつ支持部材の所定の揺動角の範囲であれば、容器の最適保持位置が高さ方向に異なっていても、該最適保持位置を保持することができるので、容器の保持性にも優れている。
【０００７】
このように、請求項１に記載の車両用カップホルダでは、支持部材の支持部材が容器の出し入れ方向の双方向に所定の揺動角を有しているため、容器の挿入性及び取出しに優れ、かつ種々の形状の容器を最適保持位置で保持することが可能である。
【０００８】
請求項２の発明は、請求項１に記載の車両用カップホルダにおいて、前記支持機構は、前記支持部材のうち前記第１支持面側の上部及び前記第２支持面側の下部を夫々前記容器収容部側へ付勢する弾性体を有することを特徴としている。
【０００９】
請求項２に記載の車両用カップホルダでは、支持部材のうち第１支持面側の上部及び第２支持面側の下部を夫々容器収容部側へ付勢する弾性体を有しているので、支持部材に柔軟な可動範囲を持たせることができ、これによって容器の挿入性、取出し性及び保持性を向上させることができる。
【００１０】
請求項３の発明は、請求項２に記載の車両用カップホルダにおいて、前記支持部材は、該支持部材が付勢されている前記容器収容部側への方向に対して交差する方向に沿って延びるガイド部を有し、前記弾性体の端部は、該ガイド部に対して摺動可能に取り付けられていることを特徴としている。
【００１１】
請求項３に記載の車両用カップホルダでは、支持部材が、該支持部材が付勢されている容器収容部側への方向に対して交差する方向に沿って延びるガイド部を有しており、弾性体の端部が該ガイド部に対して固定されることなく摺動可能に取り付けられているので、支持部材の揺動角がより大きくなっており、多種類の容器を安定的に保持することができ、また、支持部材は、ガイド部の範囲内では弾性体の付勢力にほとんど妨げられずに容易に揺動することができるため、容器の出し入れ時に支持部材の向きが変わり易く、容器の挿入性及び取出し性が一層良好となる。
【００１２】
請求項４の発明は、請求項２又は請求項３に記載の車両用カップホルダにおいて、並列に設けられた２箇所の前記容器収容部間の隔壁に前記支持部材が対称に一対配設され、前記弾性体は該一対の支持部材に共用されることを特徴としている。
【００１３】
請求項４に記載の車両用カップホルダでは、並列に設けられた２箇所の容器収容部間の隔壁に支持部材が対称に一対配設され、弾性体が該一対の支持部材に共用されるので、２箇所の容器収容部を有し、容器の挿入性、取出し性及び保持性に優れた車両用カップホルダを低コストで提供することができる。
【発明の効果】
【００１４】
以上説明したように、本発明に係る請求項１に記載の車両用カップホルダによれば、容器の挿入性及び取出しに優れ、かつ種々の形状の容器を最適保持位置で保持することができる、という優れた効果が得られる。
【００１５】
請求項２に記載の車両用カップホルダによれば、支持部材に柔軟な可動範囲を持たせることができ、これによって容器の挿入性、取出し性及び保持性を向上させることができる、という優れた効果が得られる。
【００１６】
請求項３に記載の車両用カップホルダによれば、支持部材の揺動角を大きくすることができるので、多種類の容器を安定的に保持することができると共に、容器の出し入れ時に支持部材の向きが変わり易いので、容器の挿入性及び取出し性が一層良好になる、という優れた効果が得られる。
【００１７】
請求項４に記載の車両用カップホルダによれば、２箇所の容器収容部を有し、容器の挿入性、取出し性及び保持性に優れた車両用カップホルダを低コストで提供することができる、という優れた効果が得られる。
【発明を実施するための最良の形態】
【００１８】
以下、本発明の実施の形態を図面に基づき説明する。図１において、本実施の形態に係る車両用カップホルダ１０は、図示しない車両に水平に配置して用いるものであり、ホルダ本体部１２に、容器１４を収容可能な略同一容量の容器収容部１６を例えば２箇所形成したものであり、該２箇所の容器収容部１６間は隔壁１８により仕切られている。
【００１９】
図２，図３に示されるように、車両用カップホルダ１０の隔壁１８内には、略三角形状の支持部材２０が対称に一対配設されている。図５に示されるように、各々の支持部材２０は、支持機構２８によってホルダ本体部１２に対して容器１４の挿入及び取出し方向の双方向（矢印Ｉ方向及び矢印Ｏ方向）に所定の揺動角α，βの範囲内で揺動可能に弾性的に支持されている。
【００２０】
支持部材２０は、容器１４を挿入していない中立状態において隔壁１８の窓１８Ａから容器収容部１６側に最も突出した頂上部２０Ａを有すると共に、該頂上部２０Ａから上下方向両側に向かうに従って容器収容部１６への突出量が夫々漸減するような第１支持面３１及び第２支持面３２を有している。支持部材２０において、第１支持面３１は、主として容器挿入時に容器側面を支持する部分であり、頂上部２０Ａよりも上側の上部２０Ｅ側に形成されている。第２支持面３２は、主として容器取出し時に容器側面を支持する部分であり、頂上部２０Ａよりも下側の下部２０Ｆ側に形成されている。頂上部２０Ａは、例えば第１支持部３１及び第２支持部３２に連続した曲面に形成されている。なお、隔壁１８の窓１８Ａの高さは、支持部材２０の底辺２０Ｇの長さよりも小さく形成され、支持部材２０が窓１８Ａから飛び出すことがないように構成されている。
【００２１】
支持部材２０の上部２０Ｅ及び下部２０Ｆは、ねじりコイルばね２２（弾性体）によって夫々容器収容部１６側へ付勢されている。具体的には、支持部材２０の側面２０Ｄには、支持部材２０が付勢されている容器収容部１６側への方向（矢印Ｓ方向）に対して交差する方向、例えば第１支持面３１及び第２支持面３２に沿って、スリット状のガイド部２０Ｃが設けられ、図４に示されるように、ねじりコイルばね２２の端部２２Ａは、例えばＬ字形に折り曲げられてガイド部２０Ｃ内に差し込まれ、該端部２２Ａが摩擦力を伴いつつガイド部２０Ｃに対して摺動可能となっている。
【００２２】
ここで、ガイド部２０Ｃの方向を、支持部材２０が付勢されている容器収容部側への方向（矢印Ｓ方向）に対して交差する方向としているのは、ガイド部２０Ｃの長手方向が支持部材２０の付勢方向と平行であると、支持部材２０がねじりコイルばね２２の付勢力にほとんど妨げられることなく矢印Ｓ方向及び矢印Ｈ方向に動くことができてしまうため、容器１４に対する保持力が不十分となるからである。
【００２３】
図２から図４に示されるように、支持機構２８は、例えば、壁１８内の上下に設けられた支持軸２４と、該支持軸２４にコイル部２２Ｂを通すことで取り付けられたねじりコイルばね２２とを有しており、該ねじりコイルばね２２の端部２２Ａは、一対の支持部材２０のガイド部２０Ｃに夫々差し込まれて、該一対の支持部材２０を付勢するために共用されている。また、コイル部２２Ｂから接線状に延びる直線部２２Ｃは、組立て状態（中立状態）においてガイド部２０Ｃの長手方向と略平行となっており、付勢力Ｆはガイド部２０Ｃの長手方向と略直角方向に作用している。
【００２４】
この付勢力Ｆの水平方向成分ＦＨにより、支持部材２０は容器収容部１６に突出する方向（矢印Ｓ方向）に付勢されている。一方、付勢力Ｆの垂直方向成分ＦＶは上下のねじりコイルばね２２間で互いに逆方向に作用してバランスしている。このようにして、支持部材２０は、容器１４の出し入れ方向における中立位置に保持されている。なお、ガイド部２０Ｃは、溝状のものに限られず、ねじりコイルばね２２の端部２２Ａを案内できるものであれば側面２０Ｄから突出していてもよい。また、ねじりコイルばね２２の取付け状態についても、図示のものには限られない。ねじりコイルばね２２の代わりに、板ばねや圧縮コイルばね、その他の弾性体を用いてもよい。
【００２５】
上記のように、車両用カップホルダ１０では、支持機構２８が、容器１４の挿入時には、支持部材２０の第２支持面３２が容器側面から離間して第１支持面３１が該容器側面に弾性的に圧接されるように支持部材２０を揺動させ、容器１４の取出し時には、支持部材２０の第１支持面３１が容器側面から離間して第２支持面３２が該容器側面に弾性的に圧接されるように支持部材２０を揺動させるようになっている。
【００２６】
また、支持部材２０を付勢するねじりコイルばね２２の端部２２Ａが、支持部材２０のガイド部２０Ｃに対して摺動可能に取り付けられているので、支持部材２０の揺動角α，βが大きくなっており、これによって頂上部２０Ａが容器１４の形状により広い範囲で追従可能に構成されている。
【００２７】
（作用）
まず、支持部材２０の基本的な作用について説明すると、図５において、車両用カップホルダ１０では、支持部材２０が揺動角α，βの範囲内で矢印Ｉ方向及び矢印Ｏ方向（容器の出し入れ方向）に弾性的に揺動可能であり、かつ矢印Ｈ方向に弾性的に最大で距離Ｂだけ後退可能である（矢印Ｓ方向及び矢印Ｈ方向に距離Ｂのストロークを有している）ので、支持部材２０の頂上部２０Ａの可動範囲２６は、例えば図示のようになる。
【００２８】
支持部材２０は、中立状態では支持機構２８における上下のねじりコイルばね２２により付勢されて、頂上部２０Ａが傾くことなく収納部１６へ矢印Ｓ方向に突出しており、上側のねじりコイルばね２２の端部２２Ａは上側のガイド部２０Ｃの上端に位置し、下側のねじりコイルばね２２の端部２２Ａは下側のガイド部２０Ｃの下端に位置している。支持部材２０に、ねじりコイルばね２２の付勢力を上回る矢印Ｈ方向（水平方向）の外力が作用した場合、該支持部材２０は矢印Ｈ方向に最大で距離Ｂだけ弾性的に後退する。
【００２９】
支持部材２０が後退した状態で、更に頂上部２０Ａ付近にねじりコイルばね２２の付勢力を上回る矢印Ｉ方向（容器の挿入方向）の外力が作用した場合、該支持部材２０は矢印Ｉ方向に最大で角度βだけ弾性的に傾くことができ、また、逆に矢印Ｏ方向に外力が作用した場合には、該支持部材２０は矢印Ｏ方向に最大で角度αだけ弾性的に傾くことができる。支持部材２０が後退していない状態でも、該支持部材２０は矢印Ｏ方向及び矢印Ｉ方向に弾性的に揺動することができる。
【００３０】
支持部材２０がこのように動いた場合における頂上部２０Ａの軌跡が、可動範囲２６となる。なお、図示の可動範囲２６は、一例を示したものに過ぎず、ねじりコイルばね２２の直線部２２Ｃの長さや、ねじりコイルばね２２の取付け方、ガイド部２０Ｃの長さ等を変えることによって角度α，βや可動範囲２６を調整することができる。
【００３１】
次に、このような支持部材２０の動きを踏まえて、容器１４を出し入れする際の作用について説明する。まず、図６において、容器１４を矢印Ｉ方向に挿入すると、該容器１４が最初に支持部材２０の第１支持面３１に当接する。そこから更に容器１４を押し込んだ場合、該容器１４に対する支持部材２０の当接位置が第１支持面３１から頂上部２０Ａへと円滑に移行する。これによって支持部材２０が下に傾くようなモーメントが円滑に生ずるので、容器１４の挿入性が良好となる。
【００３２】
具体的には、上側のねじりコイルばね２２の端部２２Ａは、ガイド部２０Ｃの上側端部に位置しているのでそれ以上該ガイド部２０Ｃ内を摺動することができず、支持部材２０の上部２０Ｅはねじりコイルばね２２の付勢力に妨げられてあまり動かない（上部２０Ｅの動きは、直線部２２Ｃの長さやばね定数等の設定により異なる。）。
【００３３】
しかし、下側のねじりコイルばね２２の端部２２Ａは、ガイド部２０Ｃの下側端部に位置しており、該ガイド部２０Ｃ内を摺動する余地があるので、支持部材２０の下部２０Ｆは上側のねじりコイルばね２２の端部２２Ａ付近を中心として矢印Ｉ方向（下向き）に傾くことになる。支持部材２０が下向きに傾いて行くと、頂上部２０Ａが矢印Ｈ方向に次第に後退して（容器収容部１６内への突出量が減少して）行くので、該容器１４を容器収容部１６の底まで挿入することができる。
【００３４】
このとき、下側のねじりコイルばね２２の端部２２Ａがガイド部２０Ｃの上側端部に至るまでは付勢力があまり増加しないので軽い力で容器１４を挿入することができる。また、端部２２Ａがガイド部２０Ｃの上側端部に至ったところから更に容器１４を挿入すると、今度は下側のねじりコイルばね２２の変形を伴うため付勢力が増加する。この状態で挿入を完了すれば、容器１４は高い保持力のままで保持される。
【００３５】
容器１４の保持状態においては、支持部材２０の頂上部２０Ａ付近は、ねじりコイルばね２２の付勢力によって容器１４の側部１４Ｂに弾性的に接触しているので、該容器１４は該ねじりコイルばね２２の付勢力によって良好に保持される。容器１４を保持する支持部材２０の状態は、該容器１４の大きさや表面性状により異なり、図７の二点鎖線で示されるように、支持部材２０が矢印Ｉ方向に傾いていたり、同図の実線で示されるように、支持部材２０が傾かずに矢印Ｈ方向に後退していたりする場合もある。
【００３６】
図８に示されるように、容器１４の低い位置にくびれ部１４Ａ（最適保持位置）がある場合には、挿入の過程で頂上部２０Ａがねじりコイルばね２２の付勢力により該くびれ部１４Ａに入り込む。容器１４の挿入完了状態において、くびれ部１４Ａが頂上部２０Ａの可動範囲２６にあれば、支持部材２０はそのまま該くびれ部１４Ａを保持した状態となるので、容器１４はより安定的に保持される。また、図９に示されるように、上記の場合よりもやや高い位置にくびれ部１４Ａがある場合でも、該くびれ部１４Ａが頂上部２０Ａの可動範囲２６にあれば、支持部材２０は該くびれ部１４Ａを保持した状態となる。
【００３７】
次に、容器１４を取り出す際の作用について説明する。図１０において、容器１４を矢印Ｏ方向に取り出そうとした場合、支持部材２０はねじりコイルばね２２により容器１４に押し当てられているので、支持部材２０に対して挿入時とは逆方向のモーメントが生じ、支持部材２０は容器１４の動きに追従するように矢印Ｏ方向に傾く。この際、支持部材２０における容器１４との当接位置は、頂上部２０Ａから第２支持面３２に移行して行く。
【００３８】
またこのとき、下側のねじりコイルばね２２の端部２２Ａは、ガイド部２０Ｃの下側端部に位置しているのでそれ以上該ガイド部２０Ｃ内を摺動することができず、支持部材２０の下部２０Ｆはねじりコイルばね２２の付勢力に妨げられてあまり動かない（下部２０Ｆの動きは、直線部２２Ｃの長さやばね定数等の設定により異なる。）。
【００３９】
しかし、上側のねじりコイルばね２２の端部２２Ａは、ガイド部２０Ｃの上側端部に位置しており、該ガイド部２０Ｃ内を摺動する余地があるので、支持部材２０の上部２０Ｅは下側のねじりコイルばね２２の端部２２Ａ付近を中心として矢印Ｏ方向（上向き）に傾くことになる。支持部材２０が上向きに傾いて行くと、頂上部２０Ａが矢印Ｈ方向に次第に後退して（容器収容部１６内への突出量が減少して）行くので、支持部材２０による保持力が弱まり、容器１４を円滑に取り出すことができる。容器１４が支持部材２０から離れると、該支持部材２０は中立状態（図１，図２）に復帰する。
【００４０】
なお、このときの支持部材２０の動きは、上記のものに限られず、容器１４の取出し前における、上下のガイド部２０Ｃ内の各々のねじりコイルばね２２の端部２２Ａの位置によって異なる。基本的には、夫々摺動可能な余地があれば、支持部材２０はその余地の分だけ矢印Ｏ方向に速やかに傾くが、ねじりコイルばね２２の端部２２Ａが各々のガイド部２０Ｃの端部まで至って摺動余地がなくなっていれば、該ねじりコイルばね２２の付勢力に抗しながら矢印Ｏ方向に傾くことになる。
【００４１】
上記のように、本実施形態に係る車両用カップホルダ１０では、容器収容部１６内に突出した頂上部２０Ａを有する支持部材２０が容器１４を弾性的に保持可能に構成されているだけでなく、容器１４の出し入れ方向に弾性的に揺動可能に構成されているので、容器１４の挿入時には支持部材２０がその挿入方向に傾き、容器１４の取出し時にはその取出し方向に傾くことができる。このため、車両用カップホルダ１０は、容器１４の挿入性及び取出し性に優れている。特に、支持部材２０のうち頂上部２０Ａよりも上部２０Ｅ及び下部２０Ｆが夫々ねじりコイルばね２２により容器収容部１６側へ付勢され、支持部材２０の頂上部２０Ａが柔軟な可動範囲２６を有しているため、容器１４の挿入性及び取出しに優れている。
【００４２】
また、車両用カップホルダ１０では、ねじりコイルばね２２の端部２２Ａが、第１支持面３１及び第２支持面３２に沿って設けられたガイド部２０Ｃに対して摺動可能であり、支持部材２０に対して固定はされていないので、支持部材２０の揺動角α，β（頂上部２０Ａの可動範囲２６）がより広くなっており、支持部材２０（特に頂上部２０Ａ）が容器１４の形状に追従し易い。従って、容器１４の最適保持位置が高さ方向に異なっていても、その位置が頂上部２０Ａの可動範囲２６であればその位置で該容器１４を保持することができるので、多種類の容器１４を安定的に保持することが可能である。
【００４３】
更に、支持部材２０の容器収容部１６側の頂上は頂上部２０Ａであり、第１支持面３１及び第２支持面３２の突出量は頂上部２０Ａから上下方向に離れるに従って漸減しているので、容器１４の出し入れの際に支持部材２０が傾いたときでも、第１支持面３１及び第２支持面３２が容器１４の出し入れを妨げることはなく、挿入性及び取出し性が良好である。
【００４４】
更に、支持部材２０は、ガイド部２０Ｃの範囲内ではねじりコイルばね２２の付勢力にあまり妨げられずに容易に揺動することができるため、容器１４の出し入れ時に支持部材２０の向きが変わり易く、挿入性及び取出し性が一層良好となる。
【００４５】
そして、車両用カップホルダ１０では、並列に設けられた２箇所の容器収容部１６間の隔壁１８に支持部材２０が対称に一対配設され、ねじりコイルばね２２が該一対の支持部材２０に共用されるので、２箇所の容器収容部１６を有し、容器１４の挿入性、取出し性及び保持性に優れた車両用カップホルダ１０を低コストで提供することができる。
【図面の簡単な説明】
【００４６】
【図１】車両用カップホルダを示す部分破断斜視図である。
【図２】車両用カップホルダの内部構造を示す部分破断斜視図である。
【図３】車両用カップホルダの内部構造を示す、図２における３−３矢視断面図である。
【図４】車両用カップホルダの内部構造を示す、図２における４−４矢視断面図である。
【図５】支持部材の可動範囲を示す正面図である。
【図６】容器を容器収容部に挿入する際の支持部材の動きを示す正面図である。
【図７】容器が容器収容部に挿入され、支持部材により保持された状態を示す正面図である。
【図８】容器の低い位置にくびれ部がある場合に、該くびれ部に支持部材の頂上部が入り込んで保持している状態を示す正面図である。
【図９】容器の図８よりも高い位置にくびれ部がある場合に、該くびれ部に支持部材の頂上部が入り込んで保持している状態を示す正面図である。
【図１０】容器を容器収容部から取り出す際の支持部材の動きを示す正面図である。
【符号の説明】
【００４７】
１０    車両用カップホルダ
１２    ホルダ本体部
１４    容器
１６    容器収容部
１８    隔壁
２０    支持部材
２０Ｃ  ガイド部
２２    ねじりコイルばね（弾性体）
２２Ａ  端部
２８    支持機構
３１    第１支持面
３２    第２支持面
【図１】
2007084022.tif 000003
【図２】
2007084022.tif 000004
【図３】
2007084022.tif 000005
【図４】
2007084022.tif 000006
【図５】
2007084022.tif 000007
【図６】
2007084022.tif 000008
【図７】
2007084022.tif 000009
【図８】
2007084022.tif 000010
【図９】
2007084022.tif 000011
【図１０】
2007084022.tif 000012